(57)【要約】【課題】スクロール操作やページ切り替え操作などの画像移動操作を受け付けた場合にも、ユーザが所望する画像を移動対象画像から除外して画像を移動させることが可能な情報表示装置を提供する。【解決手段】情報表示装置１は、操作部１１、表示部１３、及び表示制御部１２を備える。操作部１１は、現在表示中の画像の一部又は全部を移動対象画像として選択して移動させるための所定の選択移動操作、並びに現在表示中の画像の一部を移動禁止画像として選択するための所定の選択操作が受け付け可能になっている。表示制御部１２は、上記所定の選択操作に応じて移動禁止画像が選択された状態で、上記所定の選択移動操作を受け付けた場合には、上記移動禁止画像を現在の表示位置にそのまま表示させた状態で、上記移動対象画像を移動させる表示制御を実行する。【選択図】図３
2014092829.tif 000002
【特許請求の範囲】
【請求項１】
ユーザ操作を受け付ける操作部と、画像を表示する表示部と、該表示部における画像の表示を制御する表示制御部と、を備えた情報表示装置において、
前記操作部は、現在表示中の画像の一部又は全部を移動対象画像として選択して移動させるための所定の選択移動操作、並びに現在表示中の画像の一部を移動禁止画像として選択するための所定の選択操作が受け付け可能になっており、
前記表示制御部は、前記所定の選択操作に応じて前記移動禁止画像が選択された状態で、前記所定の選択移動操作を受け付けた場合には、前記移動禁止画像を現在の表示位置にそのまま表示させた状態で、前記移動対象画像を移動させる表示制御を実行することを特徴とする情報表示装置。
【請求項２】
前記所定の選択移動操作は、ページ切り替え操作又はスクロール操作であることを特徴とする請求項１に記載の情報表示装置。
【請求項３】
前記表示制御部は、前記所定の選択操作を受け付けた場合、前記移動禁止画像として選択された画像について表示形態を選択前から変更するような表示制御を実行することを特徴とする請求項１又は２に記載の情報表示装置。
【請求項４】
前記所定の選択操作は、前記移動禁止画像として選択する画像の位置を、該位置に所定画像を貼り付けることで指定する操作であり、
前記表示制御部は、前記移動禁止画像として、貼り付けられた前記所定画像を含む所定範囲の画像を選択することを特徴とする請求項１〜３のいずれか１項に記載の情報表示装置。
【請求項５】
前記操作部は、前記所定画像を取り除く操作が受け付け可能になっており、
前記表示制御部は、前記所定画像を取り除く操作を受け付けた場合に、前記移動禁止画像の選択を解除することを特徴とする請求項４に記載の情報表示装置。
【請求項６】
前記所定の選択操作は、前記移動禁止画像として選択する画像の位置に所定画像を貼り付け、該位置を含むように範囲を指定する操作であり、
前記表示制御部は、前記移動禁止画像として、前記範囲の画像を選択することを特徴とする請求項１〜３のいずれか１項に記載の情報表示装置。
【請求項７】
ユーザ操作を受け付ける操作部と、画像を表示する表示部と、該表示部における画像の表示を制御する表示制御部と、を備えた情報表示装置における情報表示方法であって、
前記操作部が、現在表示中の画像の一部を移動禁止画像として選択するための所定の選択操作を受け付ける第１受付ステップと、
前記操作部が、前記所定の選択操作に応じて前記移動禁止画像が選択された状態で、現在表示中の画像の一部又は全部を移動対象画像として選択して移動させるための所定の選択移動操作を受け付ける第２受付ステップと、
前記第２受付ステップで前記所定の選択移動操作を受け付けた場合に、前記表示制御部が、前記移動禁止画像を現在の表示位置にそのまま表示させた状態で、前記移動対象画像を移動させる表示制御を実行する表示制御ステップと、
を有することを特徴とする情報表示方法。
【発明の詳細な説明】
【技術分野】
【０００１】
本発明は、情報表示装置及び情報表示方法に関するものである。
【背景技術】
【０００２】
従来から、広告情報やメモ情報などを示す画像を表示する情報表示装置が利用されている。この情報表示装置には、スクリーン状の表示部と表示部の画面上への手書き入力を受け付ける入力部（操作部）とを備えた、所謂、電子黒板装置と呼ばれる装置も含まれる。
【０００３】
このような情報表示装置に関し、特許文献１では、縦横方向のスクロールボタンを操作することで、表示されている表示情報をスクロール移動させると共に、表示されていなかった範囲の表示を表示させる方法が提案されている。また、特許文献１では、縦横のスクロールをページ単位に行うように構成することで、１画面分の画像を移動（つまりページ送り／戻し）させることも提案されている。
【先行技術文献】
【特許文献】
【０００４】
【特許文献１】特開２００２−２６８６１７号公報
【発明の概要】
【発明が解決しようとする課題】
【０００５】
しかしながら、特許文献１に記載の技術をはじめとする従来の技術では、スクロール操作やページ切り替え（ページ送り／戻し）操作により、全ての画像が移動することになる。より具体的に、図１及び図２を参照しながら、従来の情報表示装置におけるページ送り処理について説明する。
【０００６】
図１に示す情報表示装置１００には、或るページの画像１０１が表示されており、この画像１０１には「れんらく：  たいそうふくをもってくること」といった文字情報を示す画像１０１ａが含まれているものとする。情報表示装置１００は、このような画像１０１が表示された状態でユーザからページ送り操作を受け付けると、ページ送り処理（ページ単位でのスクロール処理）により、図２に示すように次のページの画像１０２を表示する。そして、この画像１０２では、前のぺージで存在した画像１０１ａも他の文字情報の画像と共にページ送りされて、表示画面上から消えてしまっている。
【０００７】
このように、従来の技術では、単純に表示されている画像をスクロールにより移動しているだけであり、喩えユーザがスクロール後にも画面上に残しておきたいと望む情報が存在したとしても、前のページの記載内容を全く引き継がずにスクロールしてしまう。そして、このような状態から上記情報を確認するためには、ページ戻しを行うなど逆方向にスクロールを行う必要があり、使い勝手の悪いものとなっていた。
【０００８】
本発明は、上述のような実状に鑑みてなされたものであり、その目的は、スクロール操作やページ切り替え操作などの画像移動操作を受け付けた場合にも、ユーザが所望する画像を移動対象画像から除外して画像を移動させることが可能な情報表示装置及び情報表示方法を提供することにある。
【課題を解決するための手段】
【０００９】
上記の課題を解決するために、本発明の第１の技術手段は、ユーザ操作を受け付ける操作部と、画像を表示する表示部と、該表示部における画像の表示を制御する表示制御部と、を備えた情報表示装置において、前記操作部は、現在表示中の画像の一部又は全部を移動対象画像として選択して移動させるための所定の選択移動操作、並びに現在表示中の画像の一部を移動禁止画像として選択するための所定の選択操作が受け付け可能になっており、前記表示制御部は、前記所定の選択操作に応じて前記移動禁止画像が選択された状態で、前記所定の選択移動操作を受け付けた場合には、前記移動禁止画像を現在の表示位置にそのまま表示させた状態で、前記移動対象画像を移動させる表示制御を実行することを特徴としたものである。
【００１０】
本発明の第２の技術手段は、第１の技術手段において、前記所定の選択移動操作は、ページ切り替え操作又はスクロール操作であることを特徴としたものである。
【００１１】
本発明の第３の技術手段は、第１又は第２の技術手段において、前記表示制御部は、前記所定の選択操作を受け付けた場合、前記移動禁止画像として選択された画像について表示形態を選択前から変更するような表示制御を実行することを特徴としたものである。
【００１２】
本発明の第４の技術手段は、第１〜第３のいずれか１の技術手段において、前記所定の選択操作は、前記移動禁止画像として選択する画像の位置を、該位置に所定画像を貼り付けることで指定する操作であり、前記表示制御部は、前記移動禁止画像として、貼り付けられた前記所定画像を含む所定範囲の画像を選択することを特徴としたものである。
【００１３】
本発明の第５の技術手段は、第４の技術手段において、前記操作部は、前記所定画像を取り除く操作が受け付け可能になっており、前記表示制御部は、前記所定画像を取り除く操作を受け付けた場合に、前記移動禁止画像の選択を解除することを特徴としたものである。
【００１４】
本発明の第６の技術手段は、第１〜第３のいずれか１の技術手段において、前記所定の選択操作は、前記移動禁止画像として選択する画像の位置に所定画像を貼り付け、該位置を含むように範囲を指定する操作であり、前記表示制御部は、前記移動禁止画像として、前記範囲の画像を選択することを特徴としたものである。
【００１５】
本発明の第７の技術手段は、ユーザ操作を受け付ける操作部と、画像を表示する表示部と、該表示部における画像の表示を制御する表示制御部と、を備えた情報表示装置における情報表示方法であって、前記操作部が、現在表示中の画像の一部を移動禁止画像として選択するための所定の選択操作を受け付ける第１受付ステップと、前記操作部が、前記所定の選択操作に応じて前記移動禁止画像が選択された状態で、現在表示中の画像の一部又は全部を移動対象画像として選択して移動させるための所定の選択移動操作を受け付ける第２受付ステップと、前記第２受付ステップで前記所定の選択移動操作を受け付けた場合に、前記表示制御部が、前記移動禁止画像を現在の表示位置にそのまま表示させた状態で、前記移動対象画像を移動させる表示制御を実行する表示制御ステップと、を有することを特徴としたものである。
【発明の効果】
【００１６】
本発明によれば、情報表示装置において、スクロール操作やページ切り替え操作などの画像移動操作を受け付けた場合にも、ユーザが所望する画像を移動対象画像から除外して画像を移動させることが可能になる。
【図面の簡単な説明】
【００１７】
【図１】従来の情報表示装置におけるページ送り処理を説明するための図である。
【図２】従来の情報表示装置におけるページ送り処理を説明するための図である。
【図３】本発明に係る情報表示装置の一構成例を示す図である。
【図４】図３の情報表示装置における情報表示処理の一例を説明するためのフロー図である。
【図５】図４に続くフロー図である。
【図６】図３の情報表示装置において或るページの画像を表示した様子を示す図である。
【図７】図６の表示状態からユーザが表示画面上でツールバーを開いて画鋲を貼り付けた様子の一例を示す図である。
【図８】図６の表示状態からユーザが表示画面上でツールバーを開いて画鋲を貼り付けた様子の他の例を示す図である。
【図９】図８の表示状態からユーザがページ送り操作を行った場合の様子を示す図である。
【図１０】図８の表示状態からユーザが表示画面上で画鋲を取り外す様子を示す図である。
【図１１】図１０のようにして画鋲を取り外しを行い、それが完了した後の表示状態から、ユーザがページ送り操作を行った場合の様子を示す図である。
【図１２】図６の表示状態からユーザが表示画面上でツールバーを開いて画鋲を貼り付けた様子の他の例を示す図である。
【図１３】図３の情報表示装置においてユーザが表示画面上で画鋲を貼り付けた場合に移動禁止画像の範囲を決定する方法の一例を説明するための図である。
【図１４】図３の情報表示装置においてユーザが表示画面上で画鋲を貼り付けた場合に移動禁止画像の範囲を決定する方法の他の例を説明するための図である。
【図１５】図３の情報表示装置においてユーザが表示画面上で画鋲を貼り付けても移動禁止画像の範囲を決定できなかった場合に表示させるＧＵＩ画像の一例を示す図である。
【発明を実施するための形態】
【００１８】
図３は、本発明に係る情報表示装置の一構成例を示す図で、図中、１は情報表示装置（インフォメーションディスプレイ）である。情報表示装置１は、その全体を制御する制御部１０、ユーザ操作を受け付ける操作部１１、画像を表示する表示部１３、及び表示部１３における画像の表示を制御する表示制御部１２を備える。
【００１９】
制御部１０は、情報表示装置１の全体を制御するため、ＣＰＵ（Central Processing Unit）又はＭＰＵ（Micro Processing Unit）、作業領域としてのＲＡＭ（Random Access Memory）、及び制御プログラム（操作部１１や表示制御部１２と連携しながら情報表示処理を行うプログラムを含む）を記憶した記憶装置などの制御デバイスで構成される。上記の情報表示処理を行うプログラムには、情報を入力する際の設定を行う入力設定操作などのユーザ操作を促すためのＧＵＩ（Graphical User Interface）を含めることができる。無論、制御部１０の一部又は全部を専用のハードウェアで構成することもできる。
【００２０】
上記の記憶装置としては、フラッシュＲＯＭ（Read Only Memory）、ＥＥＰＲＯＭ（Electrically Erasable and Programmable  ＲＯＭ）、ハードディスク等が挙げられる。上記の記憶装置には情報表示装置１で表示させるためのファイルも保存できる。なお、制御部１０の全部を専用のハードウェアで構成した場合には、ファイルの保存用に別途記憶装置を設けておくなどすればよい。
【００２１】
表示部１３は、画像を表示するための部位であり、例えば液晶ディスプレイ、有機ＥＬ（electroluminescence）ディスプレイなどの表示パネルで構成することができる。情報表示装置１における表示部１３では、文字や図形などの情報を示す画像は無論のこと、写真や動画などの画像も表示可能となっている。制御の詳細については後述するが、表示制御部１２ではこのような表示部１３における画像の表示を制御することになる。
【００２２】
操作部１１は、情報表示装置１で各種のユーザ操作を受け付ける。制御部１０は、そのユーザ操作に応じた処理を実行するように表示制御部１２を含む情報表示装置１の全体を制御する。このユーザ操作には、情報を入力するためのユーザ操作も含まれ、入力された情報は表示制御部１２に渡され、表示制御部１２の制御により表示部１３に表示される。
【００２３】
また、入力された情報は、制御部１０の内部メモリなどに一時保存用に格納され、ユーザ操作に応じて或いは自動的に、制御部１０の上記記憶装置に保存される。入力された情報は、上記記憶装置に、現在表示中の画像を少なくとも含むファイルの一部として保存され、好ましくは現在表示中の画像を或るページとして含むファイルの一部として保存される。また、操作部１１で受け付けるユーザ操作には、このようなファイルを読み出すためのユーザ操作も含まれ、操作部１１で読み出し操作を受け付けた場合には、制御部１０がそれを検知して読み出し対象のファイルの一部又は全部を表示制御部１２に渡し、表示制御部１２がそのファイルの一部又は全部を表示部１３に表示させる。
【００２４】
また、操作部１１は、上記の表示パネルに重ねて又は内蔵してタッチセンサなどの操作検出センサを有し、その操作検出センサでユーザ操作を検出して受け付けるように構成しておけばよい。また、上記のプログラムに、その検出した座標に応じて描画を行って表示部１３での表示に反映させるような手書き入力アプリケーションを含めておく。このような構成により、情報表示装置１は手書き入力を行うことが可能となり、所謂、電子黒板装置として機能させることができる。なお、入力設定操作などのユーザ操作については、上記ＧＵＩ画像を表示パネルに表示させた状態で受け付ければよい。
【００２５】
以下では、情報表示装置１が手書き入力可能であること、つまり情報表示装置１が電子黒板装置であることを前提に説明するが、操作部１１は、別途設けたポインティングデバイスやキーボードなどにより情報入力操作を含むユーザ操作を受け付けるように構成することもできる。また、情報表示装置１は、一体型で構成するに限らず、例えばＰＣ（パーソナルコンピュータ）と表示装置とで構成することができる。その場合、ＰＣには少なくとも制御部１０を含み、表示装置には少なくとも表示部１３を含み、その他の構成についてはＰＣ側と表示装置側とでその機能を分散して搭載しておけばよい。
【００２６】
なお、情報表示装置１は、ネットワークアダプタなどの通信部を具備しておけば、例えばスキャナ装置やプリンタ装置や複合機などの周辺機器とＬＡＮ（Local Area Network）等の有線／無線のネットワークで接続することができ、それによりスキャナ装置で読み取った画像データを情報表示装置１で表示させることや、情報表示装置１で表示させた画像をプリンタ装置や複合機で印刷させることもできる。
【００２７】
情報表示装置１は、上述のような構成により、ユーザ操作を受け付けてそのユーザ操作の内容に応じた表示を行うことが可能になっている。そして、本発明における情報表示装置１では、操作部１１において、次に説明する所定の選択移動操作が受け付け可能になっている。
【００２８】
上記所定の選択移動操作とは、表示部１３で現在表示中の画像の一部又は全部を移動対象画像として選択して移動させるための操作を指し、例えばスクロール操作やページ切り替え操作を指す。但し、所定の選択移動操作は、ページ切り替え操作又はスクロール操作に限ったものではない。ページ切り替え操作とは、ページ送り操作又はページ戻し操作を指し、１ページ単位で送り／戻しを行う操作に限らず、例えばｎを２以上の整数として１／ｎページ単位で送り／戻しを行う操作であってもよい。なお、スクロール処理をページ単位で行うことがページ切り替え処理に該当する。また、スクロール操作やページ切り替え操作の対象となる画像は、上述したように表示部１３で現在表示中の画像の全部であっても一部であってもよく、一部である場合には残りの部分（移動対象画像とならない部分）としては例えば手書き入力アプリケーションなどのメニュー画像が該当する。
【００２９】
スクロール操作やページ切り替え操作は、表示部１３の表示画面の任意の場所をタッチし、そのタッチしたまま移動方向に弾くような操作や、ＧＵＩ画像としてユーザ選択可能に表示させたボタンを選択する操作などが該当する。このＧＵＩ画像としてのボタンとは、上下や左右のスクロールボタン、ページ送りボタン、ページ戻しボタンなどが挙げられる。
【００３０】
表示制御部１２は、上記所定の選択移動操作に応じて移動対象画像を移動させる表示制御を実行し、これにより表示部１３では、移動に伴って表示されていなかった画像が表示されるようになる。より具体的に説明すると、表示制御部１２は、内部メモリを有し、その内部メモリに表示部１３の表示画面より大きな描画用画面の画像を格納することが可能となっている。そして、表示制御部１２は、操作部１１からのページ切り替えやスクロールなどの画像移動操作（上記所定の選択移動操作）に応じて、格納した画像から表示画面に出力する部分（例えば次のページ）の画像を抽出し、表示部１３に出力して表示させる。
【００３１】
そして、本発明の主たる特徴の１つとして、操作部１１は、次に説明する所定の選択操作が受け付け可能になっている。所定の選択操作とは、表示部１３で現在表示中の画像の一部を移動禁止画像として選択するための操作を指し、予め定められた方法によって上記一部が移動禁止画像選択用に選択できる操作であればよい。
【００３２】
所定の選択操作が受け付けられた場合、表示制御部１２では、対象となった画像（上記現在表示中の画像の一部）を移動禁止画像として選択することになる。ここで、表示制御部１２は、所定の選択操作を受け付けた場合には、移動禁止画像として選択された画像について、表示形態を選択前の表示形態から変更する（反転表示や枠で囲うなど）ような表示制御を実行することが好ましい。表示形態の変更とは、移動禁止画像として選択された画像領域と他の画像領域とで異なる表現を行うことを意味し、例えば前者を反転表示させたり、前者の画像領域を枠で囲ったり、前者の画像領域の背景色を変更するなどの処理が該当する。但し、このような移動禁止画像の選択による表示形態への反映は行わなくても、表示制御部１２において、その選択された画像が他の領域とは異なり移動禁止画像として選択状態にあることを識別できれば、本発明の主たる特徴の１つである次のような表示制御は実現できる。
【００３３】
本発明の主たる特徴の１つとして、表示制御部１２は、上記所定の選択操作に応じて移動禁止画像が選択された状態で、上記所定の選択移動操作を受け付けた場合には、移動禁止画像を現在の表示位置にそのまま表示させた状態で（移動禁止画像を表示させたまま残して）、移動対象画像を移動させる表示制御を実行する。
【００３４】
ページ送り又はページ戻しの場合について説明すると、ユーザからページ送り（又はページ戻し）の操作を受け付けた場合、通常、表示制御部１２は、その操作に応じて、表示部１３に現在表示中の画像を、その画像の次ページ（又は前ページ）として関連付けられた画像に切り替えるように制御する。しかし、表示部１３に現在表示中の画像のうち一部（一部の領域）を選択するような所定の選択操作をユーザから受け付けた状態で、ページ送り又はページ戻しの操作を受け付けた場合には、移動禁止画像（上記一部の領域）を表示させたままにして、次ぺージ（又は前ページ）として関連付けられた画像に切り替えるように制御する。
【００３５】
スクロールの場合について説明すると、ユーザからスクロール操作を受け付けた場合、通常、表示制御部１２は、表示部１３に現在表示中の画像をスクロールした画像に切り替えるように制御する。しかし、表示部１３に現在表示中の画像のうち一部を選択するような所定の選択操作をユーザから受け付けた状態で、スクロール操作を受け付けた場合には、移動禁止画像（上記一部の領域）を表示させたままにして、残りの領域の画像をスクロールした画像に切り替えるように制御する。
【００３６】
また、ページ切り替え操作やスクロール操作の他に、表示部１３に現在表示中の画像の一部の領域Ａ（例えばウインドウａ）を移動対象として移動操作することもできる。ウインドウａに重ねて表示された領域Ｂ（例えばウインドウｂ）を移動禁止画像として選択して、ウインドウａを移動させるユーザ操作を行った場合には、ウインドウｂはそのままにウインドウａが移動される。また、ウインドウａとは重ならない領域Ｃ（例えばウインドウｃ）を移動禁止画像として選択して、ウインドウａをウインドウｃ上に移動させるユーザ操作を行った場合には、ウインドウｃはそのまま、その背景としてウインドウａが表示される。
【００３７】
以上のような表示制御により、情報表示装置１では、スクロール操作やページ切り替え操作などの画像移動操作を受け付けた場合にも、ユーザが所望する画像を移動対象画像から除外して画像を移動させることが可能になる。よって、ユーザは、残しておきたい事項が書かれた部分があれば、その部分をスクロール等の移動の対象から除外でき、スクロール等の移動後に表示させる情報と同時にその事項が書かれた部分を表示できるようになる。
【００３８】
次に、具体例として、図４〜図１５を参照しながら、手書き入力アプリケーションを搭載し電子黒板装置として機能する情報表示装置１で実行される情報表示処理（情報入力処理を含む）について説明する。
【００３９】
図４及び図５は、この情報表示処理の一例を説明するためのフロー図である。また、図６〜図９は、この情報表示処理の一部として画鋲機能の使用例を説明するための図である。特に、図６は、図３の情報表示装置において或るページの画像を表示した様子を示す図、図７は、図６の表示状態からユーザが表示画面上でツールバーを開いて画鋲を貼り付けた様子の一例を示す図、図８はこのように画鋲を貼り付けた様子の他の例を示す図、図９は、図８の表示状態からユーザがページ送り操作を行った場合の様子を示す図である。
【００４０】
図６に示すように、情報表示装置１の表示部１３には、或るページの画像３１が表示されており、この画像３１には「れんらく：  たいそうふくをもってくること」といった文字情報を示す画像３１ａが含まれている場合を想定する。なお、このような文字情報を含めた情報の入力は全て手書き入力で行ってもよいし、予め作成した文書ファイルを読み出して表示させてもよい。さらには、図６で例示したように活字で図示した部分（算数の足し算の問題と或る回答者からの回答、並びに画像３１ａ）を文書ファイルで作成しておいてそれを読み出して表示させ、手書き入力でその回答の正否を記していくことで作成してもよい。
【００４１】
また、この画像３１には、ポップアップによりメニュー画像としてのツールバーを表示させるためのメニュー表示ボタン３１ｍも表示されている。ユーザがこのメニュー表示ボタン３１ｍをタッチすると、図７に示すようにツールバー３３が表示される。ここで例示するツールバー３３には、ペンアイコン３３ａ、消しゴムアイコン３３ｂ、画鋲アイコン３３ｃ、設定アイコン３３ｄの各アイコンが表示されており、ユーザはこのいずれかをタッチすることでそのタッチしたアイコンに対応する処理が選択できるようになっている。ツールバー３３は、メニュー表示ボタン３１ｍを配置することなく最初から表示しておいてもよい。
【００４２】
以下では、このようにツールバー３３が元々表示されている場合を例に挙げ、図４及び図５の流れに沿って、情報表示処理例を説明する。ここでは、ページ送り／戻し処理を例に挙げて説明するが、スクロール処理など、他の画像移動処理でも同様に適用できる。
【００４３】
まず、情報表示装置１の制御部１０は、手書き入力アプリケーションを起動して、初期設定を行う（ステップＳ１）。初期設定として、例えば、使用するアイテムをペン（上記のペンアイコン３３ａを選択した際に使用されるアイテム）とし、その大きさ（太さ）を例えば１〜１０の中から設定できるうちの「３」とし、ペンの色を「黒」とする。
【００４４】
次に、制御部１０は、ペン入力（ペンや指によるタッチ）があったか否かを判定し（ステップＳ２）、なかった場合（ＮＯの場合）には後述する図５のステップＳ２１へ進み、あった場合（ＹＥＳの場合）にはそのペン入力がアイコン位置（アイコン３３ａ〜３３ｄのいずれかの位置）であるか否かを判定する（ステップＳ３）。
【００４５】
ステップＳ３でＹＥＳの場合、制御部１０は、ペンアップされた（ペンや指によるタッチが解除された）か否かを判定し（ステップＳ４）、ペンアップされるのを待つ。ステップＳ４でＹＥＳとなった段階で、ペンアップされた箇所のアイテムを判定する（ステップＳ５）。ペンアイコン３３ａが選択された場合、つまりアイテムがペンであった場合には、制御部１０はアイテムをペンに設定し（ステップＳ６）、ステップＳ２に戻る。同様に、消しゴムアイコン３３ｂが選択された場合、つまりアイテムが消しゴムであった場合には、制御部１０はアイテムを消しゴムに設定し（ステップＳ７）、ステップＳ２に戻る。同様に、画鋲アイコン３３ｃが選択された場合、つまりアイテムが画鋲であった場合には、制御部１０はアイテムを画鋲に設定し（ステップＳ８）、ステップＳ２に戻る。同様に、設定アイコン３３ｄが選択された場合、つまりアイテムが設定であった場合には、制御部１０はアイテムを設定に設定し（ステップＳ９）、ステップＳ２に戻る。
【００４６】
一方でステップＳ３でＮＯの場合、制御部１０は、設定されているアイテムが何であるかを判定する（ステップＳ１０）。アイテムがペンに設定されている場合、制御部１０は、ペン入力された位置（座標）に線を描画させる（ステップＳ１１）。なお、実際にはペンアップされるまでの所定時間間隔で入力位置を検出し、その位置間を結ぶような線を描画すればよい。アイテムが消しゴムに設定されている場合、制御部１０は、ペン入力された位置の画像を削除させる（ステップＳ１２）。ステップＳ１１，１２の処理後、制御部１０はペンアップされたか否かを判定し（ステップＳ１５）、ＹＥＳの場合にはステップＳ２に戻り、ＮＯの場合にはステップＳ１０に戻る。このようにして、ペンアップされるまで線を描画或いは削除し続けることで、描画の場合には例えば式「１＋２＝３」において正答であることを示す丸を描画することができ、また、削除の場合には入力位置の画像を削除し続けたりすることができる。
【００４７】
ステップＳ１０の判定の結果、アイテムが画鋲に設定されている場合、制御部１０は入力位置に対して画鋲機能を使用し（ステップＳ１３）、ステップＳ２に戻る。また、アイテムが設定に設定されている場合、制御部１０は設定画面のＧＵＩ画像（図示せず）を表示させ（ステップＳ１４）、ステップＳ２に戻る。なお、設定画面のＧＵＩ画像では、例えばペンの色や太さなどを選択可能にしておき、操作部１１により選択された設定内容を制御部１０の内部メモリに保存しておくなどすればよい。
【００４８】
ステップＳ８及びステップＳ１３についてその具体例を挙げて説明する。ユーザが表示画面中で残しておきたい事項がある場合の例として、画像３１ａで示す情報を残したい場合について説明する。この場合、ユーザはステップＳ８において画鋲アイコン３３ｃをタッチして、ステップＳ２に戻り、残しておきたい事項が表示された近辺をステップＳ２でタッチする。この状態によりステップＳ１０では設定アイテムが画鋲であることを判定でき、ステップＳ１３に進む。ステップＳ１３では、図７で示したように、その結果としてその位置に画鋲アイコン３４を貼り付ける。
【００４９】
この例では、所定の選択操作は、移動禁止画像として選択する画像の位置に画鋲アイコン３４のような所定画像を貼り付けることで指定する操作としているが、上記所定の選択操作として、所定画像を選択後、移動の禁止を指定するようにしてもよい。また、所望の位置をタッチするとメニュー画像が表示され、その中から画鋲貼り付けを選択するような操作を採用することもできる。
【００５０】
この段階では画鋲アイコン３４が貼り付けられただけであるため、表示制御部１２は、上記移動禁止画像として、貼り付けられた画鋲アイコン３４のような所定画像を含む所定範囲の画像を選択するような処理を行えば、移動禁止画像の選択ができる。どのようにして所定範囲を決めるかについては、図１２〜図１５を参照しながら後述するが、自動的に決めてもよいし、手動で決めるようにしてもよい。ここでは、所定範囲が、画像３１ａと画鋲アイコン３４とを含む矩形の範囲に決定されたとして説明を進める。
【００５１】
また、図７の例の代わりに、図８で例示したように、表示制御部１２は、上記所定の選択操作を受け付けた場合、移動禁止画像として選択された画像（つまり画鋲機能の適用範囲）３５について、その背景色を変えることで、表示形態を選択前の表示形態から変更させてもよい。
【００５２】
次にステップＳ２でＮＯであった場合、つまりペン入力でなかった場合の処理について、図５に沿って説明する。この場合、制御部１０は、ユーザからページ送り／戻し指示があったか否かを判定し（ステップＳ２１）、ＹＥＳの場合にはその指示の対象となるページが存在するか否かを判定する（ステップＳ２２）。ステップＳ２１，Ｓ２２でＮＯの場合にはステップＳ２に戻る。
【００５３】
ステップＳ２２でＹＥＳの場合には、表示制御部１２は移動禁止画像があるか否かを判定する（ステップ２３）。ステップＳ２３でＮＯの場合には表示制御部１２は表示されたページの全画像についてページ送り／戻し処理を実行し（ステップＳ２５）、ステップＳ２に戻る。なお、ステップＳ２５の処理により、例えば後述する図１１のような次ページの画像３２だけが表示される。
【００５４】
一方で、ステップＳ２３でＹＥＳの場合、つまり移動禁止画像が選択された状態でユーザからページ送り／戻し操作を受け付けた場合には、表示制御部１２は移動禁止画像を除きページ送り／戻し処理を実行し（ステップＳ２４）、ステップＳ２に戻る。ページ送り操作で説明すると、ステップＳ２４では、図９で例示したように、画像３１ａと画鋲アイコン３４の画像以外がページ送りされて、次のページの画像３２が表示部１３に表示される。つまり、ステップＳ２４の処理により、次のページの画像３２の前景にこの画鋲３１ａと画鋲アイコン３４の画像が表示された状態になる。
【００５５】
なお、移動禁止画像は、あくまでユーザにより上記所定の選択操作で選択される画像であるのに対し、このメニュー表示ボタン３１ｍやツールバー３３は、移動対象画像に含まれず元々移動しないように手書き入力アプリケーションで決められた画像であり、ユーザによる上記所定の選択操作で選択される画像には該当しない。
【００５６】
次に、図１０及び図１１を参照しながら、画鋲機能をＯＦＦにする手順の一例について説明する。図１０は、図８の表示状態からユーザが表示画面上で画鋲を取り外す様子を示す図、図１１は、図１０のようにして画鋲を取り外しを行い、それが完了した後の表示状態から、ユーザがページ送り操作を行った場合の様子を示す図である。
【００５７】
操作部１１は、画鋲アイコン３４のような上記所定画像を取り除く操作がユーザから受け付け可能になっていることが好ましい。この取り除く操作としては、例えば、設定画面より画鋲を取り出すアイコン３３ｄをタッチした後、対象の画鋲アイコン３４をタッチする操作を採用することができる。その他、取り除く操作としては、画鋲アイコン３４を再度タッチすることで画鋲アイコン３４を消去する方法、画鋲アイコン３４をドラッグ移動させ図示していないゴミ箱アイコンまで移動する方法などが挙げられる。
【００５８】
このような取り除く操作をした直後には、表示制御部１２が、図１０に示すように設定アイコン３３ｄと同様の設定アイコン３６を画鋲アイコン３４の位置に表示させると共に、画像３１ｂのようにそれを僅かにずらした画像を重ねて表示させることで、取り除いていることをユーザに分かりやすく示してもよい。そして、表示制御部１２は、上記所定画像を取り除く操作を受け付けた場合に、上記移動禁止画像の選択を解除（画鋲機能をＯＦＦ）する。つまり、移動禁止画像の選択は、上記所定画像を取り除く操作を受け付けた場合に解除される。
【００５９】
また、画鋲機能がＯＦＦとなった段階で、或いは図１０に示すように取り除く操作を受け付けた直後に、画鋲機能の適用範囲（上記所定範囲）の背景色も元の背景色に戻すことが好ましい。なお、画鋲アイコン３４は複数の位置に貼り付けることが可能であり、取り外す際も取り除く操作がなされた位置の画鋲アイコン３４を含む移動禁止画像のみについて選択を解除すればよい。
【００６０】
このようにして画鋲機能がＯＦＦされた後に、所定の選択移動操作を受け付けた場合には、表示制御部１２は、図５のステップＳ２５の処理、つまり単に移動対象画像を移動させる表示制御を実行すればよい。所定の選択移動操作がページ送りの場合には、図１１のように表示部１３には次ページの画像３２だけが表示されることになる。
【００６１】
次に、図１２〜図１５を参照しながら、表示制御部１２が貼り付けられた画鋲アイコン３４のような所定画像を含む所定範囲をどのようにして決定するかについて説明する。所定範囲の決定により移動禁止画像が決定された場合には、上述したように背景色を変えるなど、表示形態を変えることが好ましい。
【００６２】
図１２は、図６の表示状態からユーザが表示画面上でツールバーを開いて画鋲を貼り付けた様子の他の例を示す図である。
移動禁止画像の決定方法としては後述のように自動的に決定する方法を採用することが好ましいが、自動的に決定しない方法（つまり手動で決定する方法）を採用することもできる。そのためには、図１２に示すようにツールバー３３に、適用範囲（上記所定範囲）をユーザが指定するためのアイコン３３ｅを選択可能に表示させておけばよい。アイコン３３ｅは点線枠などにより範囲指定用のアイコンであることが理解できるような形状を採用しておけばよい。そして、ユーザがアイコン３３ｅを選択後にタッチしてドラッグすることで、任意の範囲を手動で適用範囲に決めることができる。このようにして、適用範囲が決められた後に、画鋲アイコン３４にて指定することにより、その適用範囲の画像が上記移動禁止画像に決定される。
【００６３】
また、手動での他の決定方法として、画鋲アイコン３３ｃを設けずに、アイコン３３ｅだけを設けて、アイコン３３ｅがタッチされた後に、領域指定（範囲指定）を受け付け、受け付けた範囲に適用範囲を決定してもよい。いずれの決定方法においても、所定の選択操作は、移動禁止画像として選択する画像の位置に所定画像を貼り付け、その位置を含むように範囲を指定する操作に該当し、表示制御部１２は、この範囲を指定する操作に基づき自動的に、移動禁止画像としてこの範囲の画像を選択することになる。
【００６４】
次に、自動的に決定する方法について、図１３及び図１４を参照しながら説明する。図１３は、図３の情報表示装置において図７の表示状態のようにユーザが表示画面上で画鋲を貼り付けた場合に、移動禁止画像の範囲を決定する方法の一例を説明するための図で、図１４は、この方法の他の例を説明するための図である。
【００６５】
適用範囲の自動的な決定方法としては、画鋲アイコン３４を取り付けた位置の周辺に存在する文字や図形などのオブジェクトを検索して、その検索結果から境界を決めるようにすればよい。ここで文字や図形などのオブジェクトは手書き入力されたものであってもよい。そして、このような決定方法としては、例えば図１３で示す第１の決定方法と図１４で示す第２の決定方法とのいずれかを採用することができる。
【００６６】
まず、図１３を参照しながら、第１の決定方法について説明する。
画鋲アイコン３４の周辺の文字を検索し、一番近い文字「く」（「れんらく：」の「く」）を見つけ、その文字とその文字に隣接する他の文字との間隔を測る。このような間隔の測定を繰り返し、文字間隔が所定値より広くなったところを境目と認識する。例えば間隔４２は所定値以内であるが、画像３１ａとタイトル「１じかんめ  さんすう」の文字列との間隔４１や、画像３１ａと画像３１ｃとの間隔４３は所定値より広い場合を想定する。このような場合には、間隔４２には境目を設けず、間隔４１や間隔４３に境目を設けて適用範囲を決定する。
【００６７】
ここで、制御部１０は、所定の選択操作が移動禁止画像として選択する画像の位置を指定する操作であることを前提として処理を行う。なお、上記位置の代わりに、タッチしてドラッグするような領域で選択された範囲を採用することもできる。
【００６８】
次に、図１４を参照しながら、第２の決定方法について説明する。
第２の決定方法でも第１の決定方法と同様にオブジェクト間の間隔を求め、それに基づき適用範囲、つまり移動禁止画像を決定する。第２の決定方法は、それだけでは決定できない場合に用いる判定も含む。第２の決定方法では、文字認識と意味解析とを実行し、前後の文章が通じるか否かを判定していき、文章が通じるところまでを適用範囲として決定する。例えば図１４の行間４４では意味が通じているので境目ではなく、行間４５では意味が通じていないので境目として判定する。
【００６９】
次に、自動的に適用範囲を決定できなかった場合は、図１５のように、ユーザに範囲を指定してもらうために、表示制御部１２が図１５で例示するＧＵＩ画像５１を表示させればよい。
【００７０】
以上、本発明に係る情報表示装置について説明したが、その処理手順について説明したように、本発明は、ユーザ操作を受け付ける操作部と、画像を表示する表示部と、表示部における画像の表示を制御する表示制御部と、を備えた情報表示装置における情報表示方法としての形態もある。
【００７１】
この情報表示方法は、次の第１受付ステップ、第２受付ステップ、及び表示制御ステップを有する。第１受付ステップは、操作部が、現在表示中の画像の一部を移動禁止画像として選択するための所定の選択操作を受け付けるステップである。第２受付ステップは、操作部が、上記所定の選択操作に応じて上記移動禁止画像が選択された状態で、現在表示中の画像の一部又は全部を移動対象画像として選択して移動させるための所定の選択移動操作を受け付けるステップである。表示制御ステップは、第２受付ステップで上記所定の選択移動操作を受け付けた場合に、表示制御部が、上記移動禁止画像を現在の表示位置にそのまま表示させた状態で、上記移動対象画像を移動させる表示制御を実行するステップである。その他の応用例や効果については、情報表示装置について説明した通りであり、その説明を省略する。
【００７２】
また、本発明は、上記の情報表示方法における第１受付ステップ、第２受付ステップ、及び表示制御ステップを情報表示装置における制御装置に実行させるためのプログラム（つまり図４及び図５を参照して例示したような上記の情報表示処理を行うプログラム）としての形態も採り得る。上記の情報表示処理を行うプログラムは、制御部の記憶装置に格納しておいてその記憶装置から読み出して実行することで、本発明に係る機能を実現できる。
【００７３】
また、本発明は、これらのプログラムを記憶したコンピュータ読み取り可能な記録媒体としての形態も採り得る。この記録媒体としては、ＣＤ（Compact Disc）、ＤＶＤ（Digital Versatile Disc）、ＢＤ（Blu-ray Disc）、Universal Serial Bus（ＵＳＢ：登録商標）メモリ等の可搬の記録媒体が挙げられる。この形態では、プログラムを上記の記録媒体から制御装置で読み出して実行することで、若しくは上記の記録媒体から制御装置で読み出して制御装置の記憶装置に格納しておいてその記憶装置から読み出して実行することで、本発明に係る機能を実現できる。
【符号の説明】
【００７４】
１…情報表示装置、１０…制御部、１１…操作部、１２…表示制御部、１３…表示部。
【図１】
2014092829.tif 000003
【図２】
2014092829.tif 000004
【図３】
2014092829.tif 000005
【図４】
2014092829.tif 000006
【図５】
2014092829.tif 000007
【図６】
2014092829.tif 000008
【図７】
2014092829.tif 000009
【図８】
2014092829.tif 000010
【図９】
2014092829.tif 000011
【図１０】
2014092829.tif 000012
【図１１】
2014092829.tif 000013
【図１２】
2014092829.tif 000014
【図１３】
2014092829.tif 000015
【図１４】
2014092829.tif 000016
【図１５】
2014092829.tif 000017